(57)【要約】      （修正有）【課題】薬をシートから容易に確実に取り出すことができ、取り出す際に薬が飛び出て、思いがけず遠くまで転がり薬を見失うことを防止する薬を提供する。【解決手段】側面上並びに正面上、左右同一の形状でなく又重心点も中央線上になく、片方に偏った構成を持つ。片面に凸部形状の形状を有する。【選択図】図３
0003158894.tif 000002
【実用新案登録請求の範囲】
【請求項１】
本薬１は、側面は左右均一の形状でなく、又重心点が中央線上になく、片方の側面に偏った位置に重心点を有することを特徴とする薬。
【請求項２】
前記薬１は、長楕円形又は卵形の正面形を有し、側面断面に於いても長楕円形又は卵形の形状を有することを特徴とする請求項１記載の薬。
【請求項３】
前記薬１は、片方の側面上に任意の形状の凸部形状を、任意の位置に有することを特徴とする請求項１又は請求項２記載の薬。
【考案の詳細な説明】
【技術分野】
【０００１】  この考案は、経口投与可能な固形投薬の構成及び形状に関する。
【背景技術】
【０００２】  従来の投薬の形状に関する考案は少なく、唯一薬の形状が明らかなのは特許文献１の挿入薬の形状である。同考案は図８に示す通り、代表図において座薬の側面図を示し、考案の対象は挿入薬であり、且流通部１１を形成し、この流通部１１から腸内ガス等のみを排出する構成が考案の特徴と説明され、一般の薬の形状を図示しているだけである。その他薬形状関係の考案は下記する通り４件あるが、いずれも形状は特定されておらず、本案の如く形状に関して特定な考案は見当たらない。
一般に投薬を飲む場合，薬の保護シートから飲む量分量を取り出す時に、覆っているアルミを破るのにある程度指の力を要し、押した勢いで薬が飛びだして下に落ちる場合がしばしば生ずる。特に老人は反応が遅い為に、薬を下に落とすことが発生し易い。落ちた薬は薬の形状が円形の為転がって、思いもかけない離れた場所まで行くことがあり、薬を見失う場合がしばしば発生する。本案は薬を保護シートから取り出し易くし、且落ちた場合も転がらない工夫をすることに関するものである。
【特許文献１】  特許出願平４−１０５８８４  挿入薬の形状
【特許文献２】特許出願２００７−５５３６２６  誤用防止用の微小粒子状経口薬物形態
【特許文献３】特許出願２００４−５１５４０１  発泡性経口投与形態
【特許文献４】実用新案出願２００９−１５１６  形状保持貼り薬
【考案の開示】
【考案が解決しようとする課題】
【０００３】  以上の技術によれば、薬の形状は円形の平面形をなしており、本案が解決しようとする落下し転がることを防止すること及びアルミ製等の保護シートから取り出し易くする工夫はない。そもそもいずれの考案も形状に関して具体的な説明や開示がない為、本案の考案との比較は困難である。本案は、老人でも容易に保護シートから容易に薬を取り出し、又万一取り出す際に薬が飛び出して、テーブル上や床に落下して転がった場合でも、遠くまで転がり行方不明になる事を防止する機能を提供し、容易に飲み込むことができる安全な機能のある薬を提供することを課題とする。
【課題を解決するための手段】
【０００４】  以上の課題を解決する為に、第一考案は、薬の形状は、側面形が左右同形の形状でなく、重心点は中央線上に位置せず、片側に偏った位置にあり、且つ中央より下側にある構成をなすものである。【０００５】又、第二考案は、正面形に於いて卵形、楕円形、長楕円形、滴形等の形状を有するものである。
又、第三考案は、その側面上の任意な位置に、任意な形状の凸部形成部を有するものである。
【考案の効果】
【０００６】  薬の形状は一般的に円形の正面形をなしている為、落下した場合、薬が側面で立ち、円形の側面でコロコロ転がるのは自然な動きである。第一考案により、側面は左右均一の形状でなく、又重心点が中央線上になく、片方の側面に偏った重心点を有する構成である為、薬自体自立出来ず重心点のある側にすぐ倒れる特性を有するものである。従って、側面で立って転がることを防止する効果がある。第二考案により、正面形は円形でなく楕円形、卵形、又は滴形をしている為に転がり難く、遠くに行かず、予想もできない遠くまで薬が転がり行方不明になることを防止する効果がある。第三考案は、その側面上の任意な位置に、任意な形状の凸部形成部を有するもので、重心点が更に外側に移動し横倒れを一層確実にして、確実な転がり防止効果と共に、薬を取り出し易くする機能を有するものである。即ち、薬をアルミ製等の保護シートから薬を上から押して取る作業は、若い人はともかく、指先の力が弱くなっている老人には容易な作業ではない。この取り出し作業を容易にすることができる。即ち、薬側面の凸部形成部は、僅かに押すだけで保護シートに接し、保護シートを容易に破りことができるものである。本案の薬全体は滑らかな表面で、全体は角がなく、流れるような流線形をなし、薬を飲み込み易くし、喉につかえる等の不慮の事故を未然に防止し、スムーズに所定の位置まで薬が運ばれることを確実にする効果を有するものである。
【考案を実施するための最良の形態】
【０００７】  この考案の一実施形態を、図１に示す。
薬１は、薬を構成する諸薬品及び諸成分からなる材料を、図１に示す通り、正面形に於いて卵形、楕円形、長楕円形、滴形等の形状に成型し、従来の薬の如く円形ではないが、製造コストが上がらずに制作できる単純な形状を有するものである。
薬１の側面底辺１２．は図４に示される様な一般の薬の如く平面ではなく、図２に示される通り、曲面をなしている。又図２及び図３で示す通り、薬１の側面は左右同一形でなく、図では左側面は右側面より凸形状が大きく出っ張っている形状を示している。図２の図２−Ａは、側面に緩やかな凸部が出っ張っている左右不同一の形状を示し、図２−Ｂは、側面に明確に判別できる円弧状の凸部を有する側面形状を示すものである。図２−Ｃは、更に凸部形成部９．を図２−Ａの側面に有するものである。
図３は左右の側面の違いを判別する目的の説明図であり、中心線５．を中心として左右が同一の形状ではないことを示す。  図３では左側側面が右側面より大きく膨らんでいる形状を示す。参考までに赤の点線の円形と比較し、左側がより凸状であることを確認できる。左側面の方が右側面より大きく重さも重い為、本案の薬１．の重心点２は、従来の薬の重心点が中央線上の位置にあるのに対し、図３の  図３−Ａで示す通り、左側側面寄りで且下部にあるものであり、重力の働く方向４．は図で示される通り左側面寄りに働き、自立できず横倒するものである。
図３−Ｂは前述図２−Ｃを更に解り易く説明するもので緩やかな凸部を形成した側面に更に凸部形成部９．を有し、重心は図３−Ａに比較して更に外側へ移行し、横倒れが一層確実に出来るものである。
図４、及び図５．は従来の薬を示し、図５は従来の薬が左右同形であり、重心点は中心線上にあり、その略中央にあることを示す。【０００８】図６及び図７は本案の実施例の正面図を示す。図６の左図は、本案が卵形状の正面形を有し、且略円形の正面形を有する凸部形成部９．を下部に有することを示す。図６の右図は長楕円形の平面に凸部形成部９．を下部に有することを示す。図７は凸部形成部９．の形状は円形に限定されず任意の形状であることを示し、図では長円形である。凸部形成部９．の形状は、製造コストや宣伝費と関係し、安価なコストを求めれば単純な形状になるが、宣伝を兼ねてロゴやマークや装飾模様等任意の形状にすることが出来るものである。必要に応じて凸部形成部９．のない面等に薬名や判別名・番号を印刷できるものである。【０００９】図８は特許文献１・特許出願平４−１０５８８４に示された側面図を示すもので、側面底辺１２．が平らであることを示し、左右が同一の形状であることを示す。同案は他の図を開示しておらず、平面形や正面形が不明であるが、本案の左右不同一、凸部形成部９、重心点が片側に偏った位置にある等の構成諸点を持たないのは明らかである。【００１０】図９は、本案の薬１．を収納した保護シートの側面説明図を示し、本案の薬１が保護シート１１．と保護シートアルミ板１０．に挟まれて収納されている状況を示している。  図９の通り、凸部形成部９．が保護シートアルミ板１０．に最も接近した位置にあることを示す。従って薬を取り出す為に、薬を保護シート１１．面を押すと、最初に凸部形成部９．が保護シートアルミ板１０．に触れ、更に押すと保護シートアルミ板１０．を破り、薬を取り出すことが出来るものである。図１０は一般の薬が２分割して服用出来る様に、分割用の溝である分割溝１３を略中央部に有する側面図を示す。図１１は本案の薬が分割溝１３を有する平面図を示し、分割溝１３．により薬が垂直方向で均等に２分される位置に形成するものである。本案は凸部形成部を有し、側面に於いて左右同形でなく片方が大きい形状である為、分割溝１３を図で示す位置に形成すると複雑な重量計算をせずに２分割できるものである。図１１は、解りやすい様に、やや大き目で誇張して示しているものである。【００１１】「実施形態の効果」
この実施形態によれば、本案の薬１．は左右同一形でなく重心点が１側面へ偏在し中央より下部にある構成であり又、側面底辺１２．は平面でなく曲面であることから、自立して側面で立つ姿勢を維持することは困難で、すぐ横倒れになる特性がある。従って薬を押し出して、薬が飛び出ても側面でコロコロ転がることは出来ず、すぐに横転し、遠くまで転がって行くことを防止する効果を発揮できる。形状は単純で、滑らかな表面と角のない流線型の形状をなしている為、服用際に楽で喉につかえたりする心配はない。又、単純な形状である為、製造コストを従来以上に引き上げずに製造できる効果もあるものである。薬を保護（収納）シート１１．から取り出す際に、凸部形成部９．が保護シートアルミ板１０．に一番接近した位置にある為、部形成部９．がアルミ板を最初に破ることが出来て、収納された薬を思い切り押すことが必要である従来方法に比較して、僅かな力量と動きでアルミ板を破り取り出すことが出来る効果があり、特に指の力が弱くなった老人には最適である。又、凸部形成部９．は更に側面形状の不均衡を一層強め、重心点が外側に一層移動する効果をもたらし、横倒れを一層確実にする機能を持つものである。以上の通り、薬を収納シートから取り出し易い特徴と、万一飛びだした場合も、コロコロ転がらずすぐに横転し、転がりを確実に防止し、薬を見失うことがない等の特徴を持つものである。【００１２】「他の実施形態」
本案の薬の正面上に於いて、側面の凸部形成部は円形と限定されず、任意な形状の緩やかな凸部形成部や装飾のある凸部形成部を形成できるものである。又同凸部形成部のある位置は中央部分と限定されず、任意に位置、例えば片側に寄せた位置に凸部形成部を形成できるものである。  この２者の位置の選択により、本案薬の重心の位置を任意に意図する位置へ移動することが可能となり、転がり防止を一層確実に出来る効果をもたらすものである。薬の重量管理や半分にする分割溝を形成する場合、製造上のコスト等を勘案の上、同上の形状や位置を選択できる特徴がある。即ち、図７で示す通り凸部形成部９．は長楕円形をなし、平面上、下部で左よりに形成されている為に転がる動きを略完全に防止できるが、他方製造上重量の計測や、半分にする場合に折る分割溝の位置を設定するのは容易ではない。従って転げ防止の効果と、製造コストの両面を考慮の上、最適な形状を選択すべきであり、それを本案は可能とするものである。又、正面形が円形であっても、第一考案にある通り、側面形が左右同形の形状でなく、重心点は中央線上に位置せず、片側に偏った位置にあり、且つ中央より下側にある構成をなすものであれば、自立できず横転する為に転がり防止の効果と容易な薬を採り出し効果の２点の効果を十分に発揮できるものであり、本案の３つの構成点を全て備えなくとも、１つ又は２つで、従来あったシートから取り出し難い点及び転がり易い点を解決できる特徴を有するものである。
【図面の簡単な説明】
【００１３】
【図１】本考案の一実施形態を示す正面図
【図２−Ａ】側面に緩やかな凸部を形成し、左右不同一形状の本考案の側面断面図
【図２−Ｂ】側面に円弧の凸部形成部を有する側面断面図
【図２−Ｃ】図２−Ａの側面に凸部形成部を有する側面断面図
【図３】本考案の側面が左右不同一形状を示す側面図及び説明図  図３−Ａ  図２−Ａの説明図  図３−Ｂ  図２−Ｃの説明図
【図４】一般の薬の側面図
【図５】一般の薬の側面図の左右均衡形状と重心点を示す説明図
【図６】本考案の実施例を示す正面図
【図７】本考案の他の実施例を示す正面図
【図８】従来の考案の側面図
【図９】本考案を収納した保存シートの側面説明図
【図１０】一般の薬の分割溝を示す側面図
【図１１】本考案の分割溝を示す平面図
【符号の説明】
【００１４】１．薬          ２．本考案の重心点    ３．円形
４．重力の働く方向    ５．中心線      ６．卵形
７．長楕円形          ８．一般薬の重心点          ９．凸部形成部
１０．保護シートアルミ板    １１．保護シート    １２．側面底辺
１３．分割溝
【図１】
0003158894.tif 000003
【図２−Ａ】
0003158894.tif 000004
【図２−Ｂ】
0003158894.tif 000005
【図２−Ｃ】
0003158894.tif 000006
【図３】
0003158894.tif 000007
【図４】
0003158894.tif 000008
【図５】
0003158894.tif 000009
【図６】
0003158894.tif 000010
【図７】
0003158894.tif 000011
【図８】
0003158894.tif 000012
【図９】
0003158894.tif 000013
【図１０】
0003158894.tif 000014
【図１１】
0003158894.tif 000015